(57)【要約】【課題】回動柵部を引き上げることによって回動自在とすることができるとともに回動柵部を下ろすことによって所定の角度で固定することができ、しかも誤って回動柵部を引き上げる力が作用しても、回動柵を引き上げられないように作用する回動柵部のロック機構を提供すること。【解決手段】移動用バー（１）として固定柵部（４）側に固着された嵌合受け部材（９）と回動柵部（６）側に固着された嵌合部材（１２）にそれぞれ設けられた凸部と凹部の嵌合により、所定の角度で段階的に回動柵部（６）を保持できる変位機構（５）を備え、この変位機構（５）の嵌合状態を保持するためのロック機構（２）を嵌合受け部材（９）と嵌合部材（１２）および解除ロッド（１５）で形成される通孔内を解除ボス（１７）の上下移動によりこの通孔内にある球状部材（１３）の移動を制限することで回動柵部（６）の上下移動をロックできるように構成する。【選択図】図１
2010194175.tif 000002
【特許請求の範囲】
【請求項１】
ベッドに装着自在な固定柵部（４）と、該固定柵部（４）の一側部に回動自在に支承してなる回動柵部（６）とから主として構成される移動用バー（１）において、前記固定柵部（４）には嵌合受け部材（９）が止着され、前記回動柵部（６）には嵌合部材（１２）が止着され、それぞれに設けられた凸部と凹部の嵌合により固定柵部（４）に対して段階的に回動柵部（６）を保持するよう構成してなる変位機構（５）を備える一方、前記嵌合受け部材（９）内には大径通孔（９ｅ）からテーパー部（９ｆ）を経て小径通孔（９ｄ）となる通孔が設けられており、この小径通孔（９ｄ）に挿通されるように上記嵌合部材（１２）にはガイドボス（１４）が下方に突出する状態で固着され、さらに、嵌合受け部材（９）と嵌合部材（１２）が嵌合状態にあるとき大径通孔（９ｅ）の上部に位置するようにガイドボス（１４）には軸心と直交する方向のガイド孔（１４ａ）が穿設されるとともに、嵌合部材（１２）及び嵌合受け部材（９）内に挿通された解除ロッド（１５）には上端部をテーパー部（１７ａ）とした解除ボス（１７）を止着して前記ガイド孔（１４ａ）の内側を塞ぐよう構成するとともに、前記ガイド孔（１４ａ）には該ガイド孔（１４ａ）からはみ出る大きさの球状部材（１３）が嵌装される一方、前記解除ロッド（１５）の上端にロック解除ボタン（１６）を止着するとともに該ロック解除ボタン（１６）をスプリング（２０）により上方に付勢し、解除ロッド（１５）の下端にはロックプレート（１８）を止着してなるロック機構（２）を具備したことを特徴とする移動用バー（１）。
【請求項２】
ロック機構（２）のロックを解除するために前記ロック解除ボタン（１６）の操作方向を下方向きとし、変位機構（５）の嵌合状態を外す方向を上方向きとしてなることを特徴とする変位機構（５）及びロック機構（２）を備えたことを特徴とする請求項１に記載の移動用バー（１）。
【請求項３】
前記ロック機構（２）のロック解除ボタン（１６）は回動柵部（６）のカバー部材（１１）に設けた凹状切欠き部（１１ｂ）の両肩部（１１ｃ）よりも下方に押し下げられた状態でロック解除されるよう構成してなるロック機構（２）を備えたことを特徴とする請求項１または請求項２に記載の移動用バー（１）。
【請求項４】
前記嵌合受け部材（９）の凹部（９ｃ）の底面を基準として、凸部（９ａ）の高さ（Ｈ９ａ），凸部（９ｂ）の高さ（Ｈ９ｂ）とし、嵌合部材（１２）の凹部（１２ｃ）の底面を基準として、凸部（１２ａ）の高さ（Ｈ１２ａ）とし、前記ロック解除ボタン（１６）を押し下げた時の嵌合受け部材（９）の下面とロックプレート（１８）との間隔（Ｓ４）をＨ９ａ＞Ｓ４＞Ｈ９ｂとなるよう構成することによって、前記回動柵部（６）の回動範囲を規制するよう構成してなる変位機構（５）及びロック機構（２）を備えたことを特徴とする請求項１から請求項３のいずれか一項に記載の移動用バー（１）。
【発明の詳細な説明】
【技術分野】
【０００１】
本発明は、病院のベッドや家庭の介護用のベッドなど、主としてベッドで使用される移動用バーの水平回動のロック機構に関するものです。
【背景技術】
【０００２】
病院や家庭において介護用などに使用されるベッドＢは、布団などの脱落防止や、患者または療養者の落下を防止するために、ベッドにサイドレールを取り付けることができるように構成されています。このサイドレールは、ベッドの本体部の側部に設けられたサイドフレームに固定的に取り付けられる固定柵部と、固定柵部の一端に水平回動自在に設けられる回動柵部とから構成されています。この回動柵部は患者などがベッドに昇り降りする際の邪魔にならないように、またベッドの昇り降りの際に掴まる手摺として利用できるように、水平回動自在になっています。
【０００３】
そして回動柵部を手摺として利用するためには、回動柵部が所定角度で水平回動された位置に固定する必要があります。このために従来では、レバーの締め付けで回動柵部が固定柵部に対して回動しないように固定し、またレバーを緩めることによって回動柵部を自由に水平回動できるように構成されていました（例えば、特許文献１参照）。
【０００４】
しかし、上記のようにレバーの締め付けで回動柵部を固定する方法では、レバー操作に強い力が必要であり、レバーの締め付けが不十分であると回動柵部が容易に回動して、回動柵部を手摺として利用する際に不意に回動柵部が動く恐れがあります。従って、このレバー方式は身体が不自由で力の弱い患者などが操作するには適したものではありません。
また、レバーを長くして操作力を軽減する方法もありますが、この場合には衣類や布団などが引っ掛かりやすくなり、気付かないうちにロック解除された状態となってしまう恐れがあるため、好ましくありません。
【０００５】
さらに、ねじを締め付けて回動柵部を固定する方式もあります（例えば、特許文献２参照）。
しかし、この場合も同様に、ねじの締め付けに強い力が必要であり、締め付けが不十分であると回動柵部が容易に回動する危険があります。
【０００６】
そこで、このような締め付けによって回動柵部を固定する方式ではなく、上下スライド方式が検討されています。この上下スライド方式は嵌合手段を用いるようにしたものであり、回動柵部を引き上げることによって嵌合手段の嵌合が外れて回動柵部を自由に水平回動させることができ、また回動柵部を下ろすことによって嵌合手段が嵌合した状態となり、回動柵部の水平回動がロックされるように構成されたものです。
【０００７】
この上下スライド方式では、回動柵部を持ち上げるだけで水平回動させることができるので、力が弱い患者でも容易に操作をすることができ、また回動柵部を下げるだけで、回動柵部が回動しない状態に固定することができ、回動柵部を手摺として利用する際に回動柵部が動くような危険を少なくすることができるものです。
【先行技術文献】
【特許文献】
【０００８】
【特許文献１】特開平１１−２３５２５３号公報
【特許文献２】特開２００２−１３６５５５号公報
【発明の概要】
【発明が解決しようとする課題】
【０００９】
解決しようとする問題点は、上記上下スライド方式の場合、回動柵部を下ろすことによって、嵌合手段が嵌合して回動柵部の回動を固定するようにしているものであるので、例えば回動柵部を手摺として利用して握っているときに、身体の動きなどに伴って回動柵部が誤って引き上げられると、嵌合手段の嵌合が外れてしまう恐れがあるという問題を有するものでした。
【００１０】
本発明は上記の点に鑑みてなされたものであり、回動柵部を引き上げることによって回動することができるとともに回動柵部を下ろすことによって所定の角度で回動した位置に固定することができ、しかも誤って回動柵部を引き上げる力が作用しても、回動柵が引き上げられて回動するようなことを防ぐことができる回動柵部の回動ロック機構を提供することを目的とするものである。
【課題を解決するための手段】
【００１１】
請求項１の発明では、ベッドに装着自在な固定柵部（４）と、該固定柵部（４）の一側部に回動自在に支承してなる回動柵部（６）とから主として構成される移動用バー（１）において、前記固定柵部（４）には嵌合受け部材（９）が止着され、前記回動柵部（６）には嵌合部材（１２）が止着され、それぞれに設けられた凸部と凹部の嵌合により固定柵部（４）に対して段階的に回動柵部（６）を保持するよう構成してなる変位機構（５）を備える一方、前記嵌合受け部材（９）内には大径通孔（９ｅ）からテーパー部（９ｆ）を経て小径通孔（９ｄ）となる通孔が設けられており、この小径通孔（９ｄ）に挿通されるように上記嵌合部材（１２）にはガイドボス（１４）が下方に突出する状態で固着され、さらに、嵌合受け部材（９）と嵌合部材（１２）が嵌合状態にあるとき大径通孔（９ｅ）の上部に位置するようにガイドボス（１４）には軸心と直交する方向のガイド孔（１４ａ）が穿設されるとともに、嵌合部材（１２）及び嵌合受け部材（９）内に挿通された解除ロッド（１５）には上端部をテーパー部（１７ａ）とした解除ボス（１７）を止着して前記ガイド孔（１４ａ）の内側を塞ぐよう構成するとともに、前記ガイド孔（１４ａ）には該ガイド孔（１４ａ）からはみ出る大きさの球状部材（１３）が嵌装される一方、前記解除ロッド（１５）の上端にロック解除ボタン（１６）を止着するとともに該ロック解除ボタン（１６）をスプリング（２０）により上方に付勢し、解除ロッド（１５）の下端にはロックプレート（１８）を止着してなるロック機構（２）を具備したことを特徴とする。
請求項２の発明では、ロック機構（２）のロックを解除するために前記ロック解除ボタン（１６）の操作方向を下方向きとし、変位機構（５）の嵌合状態を外す方向を上方向きとしてなることを特徴とする変位機構（５）及びロック機構（２）を備えたことを特徴とする。
請求項３の発明では、前記ロック機構（２）のロック解除ボタン（１６）は回動柵部（６）のカバー部材（１１）に設けた凹状切欠き部（１１ｂ）の両肩部（１１ｃ）よりも下方に押し下げられた状態でロック解除されるよう構成してなるロック機構（２）を備えたことを特徴とする。
請求項４の発明では、前記嵌合受け部材（９）の凹部（９ｃ）の底面を基準として、凸部（９ａ）の高さ（Ｈ９ａ），凸部（９ｂ）の高さ（Ｈ９ｂ）とし、嵌合部材（１２）の凹部（１２ｃ）の底面を基準として、凸部（１２ａ）の高さ（Ｈ１２ａ）とし、前記ロック解除ボタン（１６）を押し下げた時の嵌合受け部材（９）の下面とロックプレート（１８）との間隔（Ｓ４）をＨ９ａ＞Ｓ４＞Ｈ９ｂとなるよう構成することによって、前記回動柵部（６）の回動範囲を規制するよう構成してなる変位機構（５）及びロック機構（２）を備えたことを特徴とする。
【発明の効果】
【００１２】
請求項１の発明では、移動用バー（１）として固定柵部（４）側に固着された嵌合受け部材（９）と回動柵部（６）側に固着された嵌合部材（１２）にそれぞれ設けられた凸部と凹部の嵌合により、所定の角度で段階的に回動柵部（６）を保持できる変位機構（５）を備えています。そして、この変位機構（５）の嵌合状態を保持するためのロック機構（２）を嵌合受け部材（９）と嵌合部材（１２）および解除ロッド（１５）で形成される通孔内を解除ボス（１７）の上下移動によりこの通孔内にある球状部材（１３）の移動を制限することで回動柵部（６）の上下移動をロックできるように構成することによって、意図しない状況での変位機構（５）の作動を防止する効果があります。
請求項２の発明では、ロック機構（２）のロック解除の方法を下方向きにロック解除ボタン（１６）を押し下げることとし、変位機構（５）の嵌合状態を解除するために回動柵部（６）を上方に持ち上げるように構成しているので、意図しない状況でロック解除ボタン（１６）を押し下げても逆方向の力が回動柵部（６）に掛からなければ変位機構（５）の嵌合状態が維持されるので、安全に使用できるという効果があります。
請求項３の発明では、カバー部材（１１）内にロック解除ボタン（１６）を押し込んだ状態で、ロック機構（２）のロック状態が解除されるように構成されているので、意図しない状況でのロック手段（２）の誤作動を防止できるものとなっています。
請求項４の発明では、変位機構（５）を構成する凸部（９ａ，９ｂ，１２ａ，１２ｂ）と凹部（９ｃ，１２ｃ）、嵌合受け部材（９）とロックプレート（１８）との間隔を設定することで、部品数を増やすことなく回動柵部（６）の回動範囲を制限することができ、安価に構成することができます。
【図面の簡単な説明】
【００１３】
【図１】ロック機構のロック状態を示す要部断面図
【図２】ロック機構のロック解除状態を示す要部断面図
【図３】変位機構の嵌合状態を解除したときのロック機構の状態を示す要部断面図
【図４】ロック機構の構成を示す説明図
【図５】ロック機構及び変位機構を備えた移動用バーを示す説明図
【図６】移動用バーを示す全体平面図
【図７】変位機構の作用を示す説明図
【図８】ロック機構を示す要部説明図
【実施例１】
【００１４】
次に、本発明にかかる移動用バー１におけるロック機構２について、一つの実施の形態を示し、図面に基づいて以下説明します。
【００１５】
図５には移動用バー１を示しています。この移動用バー１は、ベッドＢのサイドフレームＦなどに設けられた付属品取付穴Ｈ，Ｈに、固定脚３，３を挿通して保持した固定柵部４と、この固定柵部４に変位機構５及びロック機構２を介して水平方向に回動可能に連結した回動柵部６とによって構成されています。
【００１６】
まず、前記固定柵部４は図６に示すように、メインフレーム７にカバー部材８を止着してなるものです。詳述すると、前記メインフレーム７は基部パイプ７ａの一端部にＬ字状に曲折したパイプ７ｂを固着し、前記基部パイプ７ａの他端部側と前記パイプ７ｂ間に連結パイプ７ｃを固着して枠状に構成するとともに、前記基部パイプ７ａの下面には固定脚３，３を固着してメインフレーム７を構成しています。さらに、前記連結パイプ７ｃの上部には軸受となる空孔部７ｅが穿設されたプレート７ｄが固着される一方、前記基部パイプ７ａに変位機構５を構成する筒状の嵌合受け部材９が前記空孔部７ｅと同一軸心となるように固着されています。なお、７ｆは補強部材です。
このように構成されたメインフレーム７に、カバー部材８を止着して固定柵部４としています。なお、カバー部材８の上部などに図示のように把持部８ａを設けておくと、ベッドＢ上で起き上がる際などに手摺として利用でき、使い勝手の良いものとなります。
【００１７】
次に、回動柵部６について説明します。この回動柵部６は、バーフレーム１０にカバー部材１１を止着してなるものです。詳述すると、前記バーフレーム１０は枠パイプ１０ａ内に補強部材１０ｂを固着するとともに、枠パイプ１０ａの上側水平部の端部に回動軸１０ｃを固着しています。また、この回動軸１０ｃと同一軸心となるように筒状の嵌合部材１２が補強部材１０ｂ，１０ｂの他端部に固着されています。このように構成されたバーフレーム１０に、カバー部材１１を止着して回動柵部６としています。このカバー部材１１も固定柵部４のカバー部材８と同様に適所に把持部１１ａを設けておくことで、ベッドＢからの移動時に手摺として利用でき、使い勝手の良いものとなります。
【００１８】
前述した固定柵部４と回動柵部６は変位機構５により所定の角度で回動柵部６が保持されるように構成されています。この変位機構５は、図４に示すように上記空孔部７ｅに回動軸１０ｃを軸承させるとともに、上記嵌合受け部材９と嵌合部材１２との嵌合によって作用するよう構成しています。
詳述すると、図７に示すように前記嵌合受け部材９の上部には凸部９ａ，９ｂと凹部９ｃ，９ｃ，・・・を連続して設け、この凸部９ａ，９ｂと凹部９ｃに対応するように嵌合部材１２の下部にも凸部１２ａ，１２ｂと凹部１２ｃを連続して設けています。この嵌合受け部材９の凹部９ｃに前記嵌合部材１２の凸部１２ａ，１２ｂを嵌合させることで固定柵部４に対して所定の角度で回動柵部６を保持するように構成しています。
なお、本実施例では嵌合受け部材９の凸部９ａ，９ｂと凹部９ｃは９０度位相して設けられるとともに、該嵌合受け部材９の軸心を含む平面を基準として一方側の凸部９ａが他方側の凸部９ｂよりも高くなるように構成しています。また、嵌合部材１２側の凸部１２ａ，１２ｂも一方の凸部１２ａが他方の凸部１２ｂに比べて高くなるように構成しています。
詳述すると、図８に示すように嵌合受け部材９の凹部９ｃの底部は同一平面をなし、この平面を基準として凸部９ａの高さをＨ９ａとし、凸部９ｂの高さをＨ９ｂとしたとき、Ｈ９ａ＞Ｈ９ｂとなるよう構成しています。
同様に、嵌合部材１２の凹部１２ｃの底部は同一平面をなし、この平面を基準としたとき、凸部１２ａの高さをＨ１２ａとし、凸部１２ｂの高さをＨ１２ｂとしたとき、Ｈ１２ａ＞Ｈ１２ｂとなるよう構成しています。さらに、嵌合受け部材９の凸部９ａの高さＨ９ａと嵌合部材１２の凸部１２ａの高さＨ１２ａがほぼ等しく（Ｈ９ａ≒Ｈ１２ａ）なるように構成しています。
【００１９】
これは、回動柵部６を水平回動させるときに嵌合部材１２の凸部１２ａが嵌合受け部材９の凸部９ａの側面に接触することで一定角度以上の回動操作ができないようにするための構成です（図７（ｃ）参照）。すなわち、本実施例では、固定柵部４に対して回動柵部６が同一平面上に位置する状態と、固定柵部４に対して回動柵部６が直行する状態とに変位するよう構成したもので、回動範囲を１８０度としています。
しかし、上述したように嵌合受け部材９と嵌合部材１２にそれぞれ凸部と凹部を設け、回動把持部６を上方に持ち上げることでそれぞれの嵌合が解除され、回動把持部６を下方に下げるとそれぞれが嵌合して一定角度で保持されるように構成されたものであれば良く、凸部と凹部の形状や数を本実施例に限定するものではありません。
例えば、嵌合部材には凸部が一ヶ所のみ設けられているものであっても良い。また、凸部と凹部の位相角度を小さくし、さらに細かい角度で回動柵部６を固定できるように構成したものであっても良い。
【００２０】
上述した変位機構５には、嵌合状態が解除されないようにロック機構２が並設されています。このロック機構２は、球状部材１３の位置によって回動柵部６の上下スライドを規制するものであり、次のように構成しています。
まず、嵌合受け部材９の内部は、上側が小径通孔９ｄで、下側が大径通孔９ｅとしており、この小径通孔９ｄと大径通孔９ｅをテーパー状の通孔（テーパー部９ｆ）で連続するように通孔を設けています。
一方、嵌合部材１２の上端部には大径通孔１２ｄが設けられており、下端内部には筒状のガイドボス１４が該嵌合部材１２から突出した状態で固着されています。このガイドボス１４の突出部には軸線に直交する方向にガイド孔１４ａ，１４ａが穿設されています。
この嵌合受け部材９と嵌合部材１２の通孔内には解除ロッド１５を挿通しています。この解除ロッド１５の上端部にはロック解除ボタン１６が止着されています。また、解除ロッド１５の下方には解除ボス１７が止着されています。この解除ボス１７の上端はテーパー部１７ａとしています。
なお、この解除ボス１７の外径は前記ガイドボス１４の内径とほぼ等しいものとしています。また、本実施例では図８に示すように嵌合受け部材９の大径通孔９ｅとガイドボス１４の外径とのすき間Ｓ１と、ガイドボス１４の厚さＳ２と、ガイド部材１４の内径と解除ロッド１５とのすき間Ｓ３はほぼ等しく（Ｓ１≒Ｓ２≒Ｓ３）なるように構成し、前記ガイドボス１４のガイド孔１４ａ，１４ａにはめ込まれる球状部材１３，１３の半径がこれらのすき間とほぼ等しくなるものを用いています。
【００２１】
そして、解除ロッド１５の下端部には雄ネジ部１５ａが設けられており、ロックプレート１８を挿通して、ナット部材１９，１９で固定しています。なお、ロック解除ボタン１６はスプリング２０によりロックプレート１８と嵌合受け部材９の下面が接触する方向、すなわち上方に付勢されています。
ここで、ロック解除ボタン１６を押し込んだとき（図２に示す状態）の嵌合受け部材９の下面とロックプレート１８との間隔Ｓ４が、図８に示すように嵌合受け部材９の凸部９ａ，９ｂの高さＨ９ａ，Ｈ９ｂに対して、Ｈ９ａ＞Ｓ４＞Ｈ９ｂとなるようにナット部材１９，１９で調節しています。
【００２２】
このように構成されたロック機構２は、次のように作用します。
まず、図１に示しているのはロック状態を示したものです。このとき、球状部材１３，１３は解除ボス１７がガイド孔１４ａの内径側を塞いだ状態となっており、球状部材１３，１３がガイド孔１４ａ，１４ａと嵌合受け部材９の大径通孔９ｅ及びテーパー部９ｆに位置した状態となっています。この状態では回動柵部６を上方に引き上げようとしても球状部材１３，１３がガイド部材１４を拘束した状態となっており、上方に引き上げることができないようになっています。したがって、この状態では回動柵部６が水平回動できないので、回動柵部６を手摺として安全に使用できます。
【００２３】
次に、図２はロックを解除した状態を示したものです。これは、ロック解除ボタン１６をスプリング２０に抗して下方に押し下げた状態であり、このとき、ロック解除ボタン１６と一体となっている解除ロッド１５と解除ボス１７も下方に押し下げられ、球状部材１３，１３が嵌合受け部材９の大径通孔９ｅから解除ロッド１５側に移動自在な状態となります。
この状態にすると回動柵部６を上方に引き上げることができるようになり、回動柵部６を引き上げると球状部材１３，１３は嵌合受け部材９のテーパー部９ｆに案内され、解除ロッド１５側に移動します。そのまま、回動柵部６を上方に引き上げると図３に示すように球状部材１３，１３が嵌合受け部材９の小径通孔９ｄとガイド孔１４ａ，１４ａおよび解除ロッド１５に囲まれた空間内に位置するとともに、ロックプレート１８と嵌合受け部材９の底面が接触する状態まで引き上げられます。この状態では、嵌合受け部材９と嵌合部材１２との嵌合状態が解除されており、回動柵部６が回動自在な状態となります。
なお、本実施例では、嵌合部材１２の凸部１２ａが嵌合受け部材９の凸部９ａの側面に接触するよう構成しているので、固定柵部４に対して同一平面を形成する状態と、直交する状態の３ヵ所で固定できるようになっています。
所望の角度となるように回動柵部６を水平回動させた後、回動柵部６を下ろすと、嵌合受け部材９と嵌合部材１２とが嵌合した状態となり、水平回動が拘束された状態となります。
このとき、スプリング２０によって解除ロッド１５が上方に引き上げられるので、解除ボス１７のテーパー部１７ａが球状部材１３，１３を外側に押し出し、回動把持部６の上方への引き上げ操作を自動的にロックする図１に示した状態となります。
【００２４】
上述のように構成されたロック機構２では、ロック解除ボタン１６の操作によって解除操作ができるので、衣服などを引掛け、ロックが解除されてしまうという恐れがありません。
そして、このロック機構２のロック力は機械的に発生するように構成されているので、操作する人に関わらず一定のロック力となり、安全に使用できます。
また、ロック解除ボタン１６のロック解除の操作方向が下方向きであるのに対して、変位機構５の嵌合状態を解く方向が上方であることによって、誤作動を防止でき、意図しない回動柵部６の水平回動が行われないように構成しています。
さらに、解除ボタン１６がカバー部材１１からあまり突出しないように図３に示すようにカバー部材１１に凹部１１ｂを設けておくことで、ロック解除ボタン１６に異物が当たり、押し下げようとしても凹部１１ｂの肩部１１ｃまでの押し下げで止まり、ロック解除されるまで下げられる恐れを少なくすることができ、誤操作を防止することも可能となります。
また、図１に示すように解除ボタン１６の近傍に把持部１１ａを設けておけば、この把持部１１ａを把持した状態で解除ボタン１６の操作ができるとともに、回動柵部６の引き上げ操作もでき、片手での操作も可能となります。
このように、本発明におけるロック手段２は、操作が容易であるとともに、軽い操作力でロックを解除することができるだけでなく、意図しない状況でのロック解除がなされないよう構成されており、安全に使用できるものとなっております。
【符号の説明】
【００２５】
１    移動用バー
２    ロック機構
３    固定脚
４    固定柵部
５    変位機構
６    回動柵部
９    嵌合受け部材
１２  嵌合部材
１３  球状部材
１４  ガイドボス
１５  解除ロッド
１６  ロック解除ボタン
１７  解除ボス
１８  ロックプレート
【図１】
2010194175.tif 000003
【図２】
2010194175.tif 000004
【図３】
2010194175.tif 000005
【図４】
2010194175.tif 000006
【図５】
2010194175.tif 000007
【図６】
2010194175.tif 000008
【図７】
2010194175.tif 000009
【図８】
2010194175.tif 000010